(57)【要約】  【課題】本発明は、歌唱対象の楽曲の歌詞等をディスプレイ上に表示させるカラオケシステムに関し、カラオケ機器がスタンドアローンのみで稼働するものであっても窃盗行為の抑止を図ることを目的とする。  【解決手段】表示装置１３よりカラオケ装置１２に対して記憶部２２に記憶されている識別符号を提供し、カラオケ装置１２では認証部２２が提供された識別符号に基づいて、予め定められた表示装置であるか否かの認証を行い、表示装置一致のときに少なくとも要求された演奏楽曲の歌詞映像データを映像出力部３３より表示装置１３に送出させ、表示装置不一致のときには送出拒否させる構成とする。  【選択図】  図１
2006284654.tif 000002
【特許請求の範囲】
【請求項１】
歌唱者の要求に応じて楽曲を演奏し、少なくとも当該演奏楽曲に応じた歌詞を表示装置の表示部上に表示させるカラオケ装置を備えるカラオケシステムであって、
前記表示装置は、
前記カラオケ装置との間でデータ授受を行う送受信部と、
当該表示装置を識別する識別符号を記憶する記憶部と、
少なくとも、前記カラオケ装置より歌詞映像データを受信して表示させ、当該カラオケ装置に対して前記記憶部に記憶されている前記識別符号を提供する表示制御部と、
を有し、
前記カラオケ装置は、
前記表示装置との間でデータ授受を行う送受信部と、
前記表示装置に要求して提供された前記識別符号に基づいて、予め定められた表示装置であるか否かの認証を行う認証部と、
前記認証部からの表示装置一致、不一致の認証結果に応じて、少なくとも前記要求された演奏楽曲の歌詞映像データを当該表示装置に送出するか否かが制御される映像出力部と、
を有することを特徴とするカラオケシステム。
【請求項２】
請求項１記載のカラオケシステムであって、前記カラオケ装置は、前記認証部で表示装置不一致の認証がされた場合に計数を行い、設定された計数値まで前記映像出力部より少なくとも前記歌詞映像データを前記表示装置に出力させる表示監視部を備えることを特徴とするカラオケシステム。
【発明の詳細な説明】
【技術分野】
【０００１】
本発明は、歌唱対象の楽曲の歌詞等をディスプレイ上に表示させるカラオケシステムに関する。
【背景技術】
【０００２】
近年、カラオケは一般的な遊技として定着され、カラオケ店が全国的に広がっている。一方、各店舗に設置されるカラオケ装置は、記憶装置の低廉化、容量増大化に伴って、装置内にカラオケ楽曲の映像を含む楽曲データを格納するようになってきており、カラオケ機器の盗難も発生してきている。そのため、盗難予防ないしは窃盗行為の抑止となる装置が望まれている。
【０００３】
従来、盗難予防等を施したカラオケ装置として下記の特許文献に記載されている装置が提案されている。すなわち、下記の特許文献には、通信カラオケ装置等の楽音再生装置が盗難にあってもオフラインでは使用できないようにしたもので、具体的には、当該音楽再生装置がホストコンピュータと通信ネットワークで接続されて、定期的に所定のログデータをホストコンピュータに送信するシステムとし、当該ログデータが正しくホストコンピュータに送信されなかった場合、所定数量の計数後に楽音発生装置自体の使用を不能にするというものである。すなわち、通信回線が切断されたり、楽音再生装置自体が盗難にあった場合に、所定の短期間のみしか使用できなくすることで、盗難予防を図ろうとするものである。
【０００４】
【特許文献１】特許第３１９６１６６号公報
【発明の開示】
【発明が解決しようとする課題】
【０００５】
しかしながら、上記特許文献に開示されている盗難予防等の手法は、音楽発生装置がホストコンピュータと通信ネットワークと接続されていることが条件であることから、未だ通信ネットワークが整備されていない地域では適用することができず、また、諸外国においてもカラオケが一般化しつつある現在では、インターネット等のネットワークが一般化されていない国もあって適用することができないという問題がある。
【０００６】
そこで、本発明は上記課題に鑑みなされたもので、カラオケ機器がスタンドアローンのみで稼働するものであっても窃盗行為の抑止を図るカラオケシステムを提供することを目的とする。
【課題を解決するための手段】
【０００７】
上記課題を解決するために、請求項１の発明では、歌唱者の要求に応じて楽曲を演奏し、少なくとも当該演奏楽曲に応じた歌詞を表示装置の表示部上に表示させるカラオケ装置を備えるカラオケシステムであって、前記表示装置は、前記カラオケ装置との間でデータ授受を行う送受信部と、当該表示装置を識別する識別符号を記憶する記憶部と、少なくとも、前記カラオケ装置より歌詞映像データを受信して表示させ、当該カラオケ装置に対して前記記憶部に記憶されている前記識別符号を提供する表示制御部と、を有し、前記カラオケ装置は、前記表示装置との間でデータ授受を行う送受信部と、前記表示装置に要求して提供された前記識別符号に基づいて、予め定められた表示装置であるか否かの認証を行う認証部と、前記認証部からの表示装置一致、不一致の認証結果に応じて、少なくとも前記要求された演奏楽曲の歌詞映像データを当該表示装置に送出するか否かが制御される映像出力部と、を有する構成とする。
【０００８】
請求項２の発明では、前記カラオケ装置は、前記認証部で表示装置不一致の認証がされた場合に計数を行い、設定された計数値まで前記映像出力部より少なくとも前記歌詞映像データを前記表示装置に出力させる表示監視部を備える構成である。
【発明の効果】
【０００９】
本発明によれば、表示装置よりカラオケ装置に対して記憶部に記憶されている識別符号を提供し、カラオケ装置では認証部が提供された識別符号に基づいて、予め定められた表示装置であるか否かの認証を行い、表示装置一致のときに少なくとも要求された演奏楽曲の歌詞映像データを当該表示装置に送出させ、表示装置不一致のときには送出拒否させ、または所定の間だけ送出させる構成とすることにより、カラオケ装置がスタンドアローンのみで稼働するものであっても定められた表示装置に対してのみ映像表示させることから窃盗行為の抑止効果を奏することができるものである。
【発明を実施するための最良の形態】
【００１０】
以下、本発明の最良の実施形態を図により説明する。
図１に、本発明に係るカラオケシステムの主要構成図を示す。図１(Ａ）において、カラオケシステム１１は、カラオケ装置１２に表示装置１３が接続されて構成される。カラオケ装置１２は、基本的構成は従前と同様であり、歌唱者の要求に応じて楽曲を演奏し、当該演奏楽曲に応じた歌詞を表示装置の表示部上に表示させるもので、詳細な構成は図２で説明する。表示装置１３は、カラオケ装置１２からの映像データ（歌詞映像データ、背景映像データ等）を表示させることを基本的機能とするもので、表示装置１３には、例えば、ブラウン管（ＣＲＴ）ディスプレイ、液晶ディスプレイ（ＬＣＤ）、プラズマディスプレイ（ＰＤＰ）、エレクトロルミネッセンス（ＥＬ）ディスプレイ、表面電解ディスプレイ（ＳＥＤ）、リアプロジェクション型ディスプレイ等がある。
【００１１】
また、図１（Ｂ）は、表示装置１３の内部構成およびカラオケ装置１２の本発明に係る部分の内部構成を示したもので、表示装置１３は、送受信部２１、記憶部２２、表示制御部２３および表示部２４より構成される。カラオケ装置１２では、表示装置１３に対応して映像制御手段２５が備えられ、当該映像制御手段２５は送受信部３１、認証部３２および映像出力部３３を含んで構成される。
【００１２】
上記送受信部２１，３１は、共に、カラオケ装置１２と表示装置１３との間でデータ授受を行うためのインタフェイスである。上記記憶部２２は、少なくとも当該表示装置１３に付された識別符号（ここでは例えばＩＤとするが、表示装置のメーカ番号等でもよい）を記憶するメモリ回路である。上記表示制御部２３は、少なくとも、カラオケ装置１３より歌詞映像データを受信して表示させ、当該カラオケ装置１２に対して記憶部２２に記憶されているＩＤを提供するためのもので、そのためのプログラムや表示部２４のドライブ回路で構成される。なお、表示部２４は、上記ディスプレイの方式に応じた表示器である。
【００１３】
上記カラオケ装置１２の備える映像制御手段２５における認証部３２は、接続可能とされる単一若しくは複数の表示装置１３の識別符号（ＩＤ）を関連づけたテーブル若しくはメモリ（図示せず）を備えるもので、表示装置１２より提供されたＩＤに基づき、当該テーブルを参照して予め定められた表示装置であるか否かの認証を行うもので、そのためのプログラムを備える。
【００１４】
上記映像出力部３３は、要求された演奏楽曲の歌詞映像データや背景映像データを後述の楽曲ＤＢより抽出して当該表示装置１２に送出することを基本的機能とするもので、認証部３２からの表示装置一致、不一致の認証結果に応じて上記映像データを表示装置１３に送出するか否かが制御される。すなわち、認証部３２より表示装置一致の信号を入力したときには該当の映像データを表示装置１３に送出し、表示装置不一致の信号を入力したときには後述の表示ファイル作成手段で作成させた不一致表示の情報データを表示装置１３に送出して、上記映像データの送出を拒否する。当該映像出力部３３はこれらを実行するためのプログラムを備えるものである。
【００１５】
ここで、図２に、本発明に係るカラオケシステムのブロック構成図を示す。図２に示すカラオケシステム１１は、カラオケ装置１２において、バス４１、制御手段４２、ＲＡＭ４３、楽曲ＤＢ（データベース）４４、楽曲検索手段４５、予約管理手段４６、表示ファイル作成手段４７、操作制御手段４８、音声入力手段４９、音楽曲出力手段５０、媒体読取手段５１および送受信手段５２を適宜備え、上記映像制御手段２５を備える。なお、カラオケ装置１２について、本発明の要旨と直接関連しない要素部分であっても、従前のカラオケ装置においても大部分が適用可能であることを示すために、装置全体を説明する。
【００１６】
また、当該カラオケ装置１２に有線および無線で外部接続されるものとして、上記表示装置１３、マイク５３、スピーカ５４、遠隔入出力端末５５があり、上記媒体読取手段５１に対応したＩＤ媒体５６が顧客において所持される。なお、上記表示装置１３は図１（Ｂ）に示したように、上記映像制御手段２５との間で所定のデータ授受を行うものである。
【００１７】
上記制御手段４２は、このシステムを統括的に制御するもので、例えば物理的なＣＰＵに制御のためのプログラムが格納され、当該プログラムはＲＡＭ４３等に展開されて実行される。当該ＲＡＭ４３は、種々のプログラムを展開、実行させるための作業領域としての役割をするものであり、例えば半導体メモリで構成され、仮想的にハードディスク上に構築される場合をも含む概念である。
【００１８】
上記楽曲ＤＢ４４は、例えばハードディスク（ＨＤＤ）等の記憶装置であり、少なくとも、楽曲元データ（ファイル）、楽曲コード（テーブル）および映像データ（ファイル）を備える。楽曲元データ（ファイル）は、楽曲コード毎にデジタル的な楽曲データおよび演奏時間を保存するもので、当該楽曲（ファイル）コードは楽曲コードと楽曲名が関連付けられている。映像データ（ファイル）は、楽曲（コード）に対応した歌詞映像データおよび背景映像データを保存する。
【００１９】
上記楽曲検索手段４５は、例えば新曲、歌手名、曲名、ジャンルおよび履歴のそれぞれについて、上記楽曲ＤＢ４４に記憶されている楽曲を検索するためのもので、そのためのプログラムがＲＡＭ４３に展開されて実行される。上記予約管理手段４６は、利用者（予約者）が予約した楽曲を記憶しておき、順番に歌唱対象とするもので、そのためのメモリ領域を備え、当該メモリ領域に記憶されるデータは上記制御手段４２により制御される。
【００２０】
上記表示ファイル作成手段４７は、当該システム１１やその付帯する遠隔入出力端末５５における利用者に選曲させるためのファイルデータを転送すると共に、上記表示装置不一致等の内容を表示装置１３に表示させるためのファイルデータを転送するもので、そのためのプログラムがＲＡＭ４３に展開されて実行される。上記音声入力手段４９は、マイク５３からのアナログ音声データをＡ／Ｄコンバータ（図示省略）を介してデジタル変換する処理を主体とし、上記音楽曲出力手段５０は、楽曲ＤＢ４４より抽出された楽曲の楽曲元データをデジタル再生してアナログ変換すると共に、上記マイク５３からのデジタル音声データをアナログ変換し、ミキシングしてスピーカ５４に出力する。
【００２１】
上記媒体読取手段５１は、利用者が所持するＩＤ媒体５６を読み取る装置である。ＩＤ媒体５６は、少なくとも利用者のＩＤを記憶し、上記媒体読取手段５１と例えば非接触でデータ授受が自在のものである。ＩＤ媒体５６としては、例えば、非接触型のＩＣカードや、携帯電話や小型モバイルコンピュータに内蔵させたＩＣカード機能回路等がある。上記送受信手段５２は、遠隔入出力端末５５との間で有線方式ないし無線方式（ブルートゥース機構のピコネット接続方式）を利用してデータ授受を行うためのもので、そのための回路基板およびプログラムを備える。
【００２２】
上記遠隔入出力端末５５はＧＵＩ機能を付帯し、例えば液晶ディスプレイ（ＬＣＤ）とタッチセンサとを積層した入出力用の利用者インタフェイスが搭載され、当該タッチセンサにより楽曲の選択などのデータを入力することができるものである。この場合、上記操作制御手段４８は、当該タッチセンサからの入力データを制御するもので、そのためのプログラムがＲＡＭ４３に展開されて実行される。また、当該遠隔入出力端末５５はカラオケに関するものや、図示しない接続手段によりインターネット接続による情報収集等の種々の操作および表示が可能であり、上記操作制御手段４８によって当該操作信号が制御されるものである。
【００２３】
そこで、図３に、図１のカラオケシステムにおける表示制限のフローチャートを示す。図３において、まず、カラオケ装置１２および表示装置１３に電源が投入されると、カラオケ装置１２側の映像制御手段２５の認証部３２が表示装置１３に対して当該表示装置のＩＤを要求する（ステップ（Ｓ）１）。表示装置１３側では、表示制御部２３がＩＤ要求に対して記憶部２２に記憶されている対応のＩＤを読み出してカラオケ装置１２側に送信するもので、上記認証部３２では、当該表示制御部２３よりの記憶部２２から読み出されたＩＤを取得する（Ｓ２）。
【００２４】
認証部３２では、取得したＩＤに基づいて、備えるテーブルを参照して接続されている表示装置１３が正規の表示装置であるか否かを認証する（Ｓ３）。認証の結果（Ｓ４）、一致すれば正規の定められた表示装置１３が接続されているものとして、映像出力部３３に通常の映像出力をさせるための表示装置一致信号を送出する（Ｓ５）。これによって、当該カラオケ装置１２の通常のカラオケ機能で使用される。
【００２５】
一方、認証の結果（Ｓ４）、不一致であれば、当該認証部３２より表示ファイル作成手段４７に対して表示装置不一致の表示をさせるためのファイルを作成させる要求を行うと共に、映像出力部３３に対して映像出力（歌詞映像、背景映像）をさせない表示装置不一致信号を送出する（Ｓ６）。そして、映像出力部３３では、表示装置１３に対して、表示ファイル作成手段４７で作成された表示装置不一致ファイルを送出し、映像出力を拒否して映像データ（歌詞映像データおよび背景映像データ）を出力しない（Ｓ７）。すなわち、表示装置１３では、表示装置不一致の表示がされるだけで、選曲された楽曲の関連映像が表示されないものである。
【００２６】
このように、カラオケ装置が定められた表示装置に対してのみ映像表示させることから、当該カラオケ装置の窃盗行為を抑止する効果を奏することができるものである。すなわち、カラオケ装置１２に使用される表示装置１３の大型化の傾向からすれば、当該カラオケ装置１２と共に表示装置１３をも窃盗することが困難となり、抑止効果を発揮することができるものである。また、当該カラオケ装置が通信ネットワークに接続されておらず、スタンドアローンのみで稼働するものであっても抑止効果を奏することができ、当該通信ネットワークが整備されていない地域または国であっても適用することができるものである。
【００２７】
次に、図４に本発明に係るカラオケシステムの他の実施形態の説明図を示すと共に、図５に、図４のカラオケシステムにおける表示制限のフローチャートを示す。まず、図４において、カラオケシステム11は、カラオケ装置１２の備える映像制御手段２５が上記送受信部３１、認証部３２および映像出力部３３に加えて、表示監視部６１および設定部６３を備え、当該表示監視部６１には適宜バッテリ６２が備えられるものとしたものである。
【００２８】
上記表示監視部６１は、映像出力部３３より表示装置１３への映像データの出力を、例えばカラオケ装置１２の稼働時間、表示装置不一致の認証後から計数される自然時間、当該映像出力部３３から出力する演奏時間または演奏曲数などの監視対象を計数し、計数満了で映像出力を停止させるために監視するもので、そのためのカウンタ回路（適宜クロック回路を含む）やプログラムを備える。ここでは、カラオケ装置の稼働時間として説明する。上記バッテリ６２は、メンテナンスや修理等のために電源をオフ状態とすることがあり、オフ状態においても計数をリセットさせないためのものである。また、上記設定部６３は、上記の監視対象および設定計数値を設定するためのもので、そのためのメモリ回路やプログラムを備える。
【００２９】
そこで、図５において、まず前提として設定部６３には、図示しないキーボード等の入力手段より監視対象としてカラオケ装置１２の稼働時間とすることの設定対象および設定時間（例えば２週間として３３６時間）が設定されて保持されている。そして、上記図３のＳ４の表示装置不一致信号（ＩＤ不一致信号）が認証部３２より表示監視部６１に入力されると（Ｓ１１）、当該表示監視部６１では、設定部６３で設定されている監視要素（稼働時間）の計数を開始する（Ｓ１２）。
【００３０】
上記表示監視部６１における計数が設定値の経過前では映像出力部３３より要求された映像データを表示装置１３に出力する（Ｓ１４）。そして、計数が設定値に達すると、表示監視部６１より表示ファイル作成手段４７に対して表示装置不一致の表示をさせるためのファイルを作成させる要求を行うと共に、映像出力部３３に対して映像出力（歌詞映像、背景映像）をさせない表示装置不一致信号を送出する（Ｓ１５）。
【００３１】
以降、映像出力部３３では、表示装置１３に対して、表示ファイル作成手段４７で作成された表示装置不一致ファイルを送出し、映像出力を拒否して映像データ（歌詞映像データおよび背景映像データ）を出力しない（Ｓ１６）。すなわち、表示装置が不一致の場合には所定計数値まで映像表示を行わせ、計数値に達した後、表示装置１３では、表示装置不一致の表示がされるだけで、選曲された楽曲の関連映像が表示されないものである。
【００３２】
このように、上記同様にカラオケ装置１２の窃盗行為の抑止効果を発揮させると共に、上記カラオケ装置１２に対して定められた表示装置ではない場合であっても、メンテナンス後や修理後に異なる表示装置１３で動作確認等を行う場合に対処させることができるものである。なお、メンテナンスや修理に対する動作確認を定められた所定数の表示装置で行うこととし、これらの表示装置のＩＤを映像制御手段２５の認証部３２（テーブル）に認証対象として設定しておけば、上記表示監視部６１および設定部６３は不要である。
【産業上の利用可能性】
【００３３】
本発明のカラオケシステムは、カラオケ装置等の通信ネットワークへの接続如何に関わらず、カラオケ店舗毎に設置される場合に適する。
【図面の簡単な説明】
【００３４】
【図１】本発明に係るカラオケシステムの主要構成図である。
【図２】本発明に係るカラオケシステムのブロック構成図である。
【図３】図１のカラオケシステムにおける表示制限のフローチャートである。
【図４】本発明に係るカラオケシステムの他の実施形態の説明図である。
【図５】図４のカラオケシステムにおける表示制限のフローチャートである。
【符号の説明】
【００３５】
１１            カラオケシステム
１２            カラオケ装置
１３            表示装置
２２            記憶部
２３            表示制御部
２４            表示部
２５            映像制御手段
３２            認証部
３３            映像出力部
４４            楽曲ＤＢ
４７            表示ファイル作成手段
６１            表示監視部
【図１】
2006284654.tif 000003
【図２】
2006284654.tif 000004
【図３】
2006284654.tif 000005
【図４】
2006284654.tif 000006
【図５】
2006284654.tif 000007